(57)【要約】      （修正有）【課題】遊戯者が実際のスポーツ競技場と同じような臨場感を持って遊戯を楽しむことができ、かつ、コストを低く抑えられる遊戯施設を提供する。【解決手段】屋内または屋外に設置され、遊戯者がスポーツを擬似的に楽しむのに必要なスポーツ器具を備えた遊戯施設１０において、少なくとも遊戯者がスポーツにかかる動作を行うための領域を含んで所定深さまで土壌１７で施工する土壌施工部１５と、土壌施工部１５を除く領域であって構造物１１自体で施行するか又は構造物１１の表面を舗装する舗装体のいずれか一方で施工する非土壌施工部とを有する。この構成によれば、少量の土壌１７を搬入するだけでよいので、導入コストを低く抑えられる。土壌１７が偏った場合でも簡単に元の状態に戻せるので、維持コストを低く抑えられる。一方、遊戯者にとっては、実際のスポーツ競技場と同じような感覚でスポーツを楽しめる。【選択図】図１
0003166985.tif 000002
【実用新案登録請求の範囲】
【請求項１】
屋内または屋外に設置され、遊戯者がスポーツを擬似的に楽しむのに必要なスポーツ器具を備えた遊戯施設において、
少なくとも前記遊戯者が前記スポーツにかかる動作を行うための区域を含み、所定深さまで土壌で施工する土壌施工部と、
前記土壌施工部を除く区域であって、構造物自体で施行するか、あるいは前記構造物の表面を舗装する舗装体のいずれか一方で施工する非土壌施工部と、
を有することを特徴とする遊戯施設。
【請求項２】
前記非土壌施工部は、前記土壌施工部の周縁の全部または一部に沿って形成する溝部を有することを特徴とする請求項１に記載の遊戯施設。
【請求項３】
前記土壌施工部は、前記非土壌施工部に近づくにつれて深さが浅くなるようにスロープさせたスロープ部を有することを特徴とする請求項１または２に記載の遊戯施設。
【請求項４】
前記土壌施工部は、前記非土壌施工部よりも凹ませた凹部と、前記土壌を収容可能に形成されて前記凹部に着脱可能な箱体とで構成され、
複数の前記箱体には、前記土壌の性質を異ならせて調整し、
複数の前記箱体のうちでいずれか一の前記箱体を選択して前記凹部に設置し、撤収または交換する場合には前記凹部に設置した前記箱体を取り出すことを特徴とする請求項１から３のいずれか一項に記載の遊戯施設。
【請求項５】
前記スポーツが野球である場合は、前記土壌施工部はバッターボックス、バッターボックスおよびキャッチャーボックス、バッターボックス，キャッチャーボックス，ホームベースを含むホームエリアのうちでいずれかの区域を含むことを特徴とする請求項１から４のいずれか一項に記載の遊戯施設。
【請求項６】
前記スポーツがサッカーである場合は、前記土壌施工部はコーナーエリア、ペナルティエリア、ゴールエリアのうちで一以上の区域を含むことを特徴とする請求項１から４のいずれか一項に記載の遊戯施設。
【考案の詳細な説明】
【技術分野】
【０００１】
本考案は、屋内または屋外に設置され、遊戯者がスポーツを擬似的に楽しむのに必要なスポーツ器具を備えた遊戯施設に関する。
【背景技術】
【０００２】
従来では、比較的小規模なスペースで擬似的に野球が楽しめる施設として、疑似ベースボール施設に関する技術が開示されている（例えば特許文献１を参照）。この疑似ベースボール施設では、ピッチャーズマウンド，ホームベース，バッターボックス，ファウストベースとを配したネット囲設グランドを設置する。また、集球ゾーンに入ったボールを揚球搬送手段によって搬送し、ピッチャーズマウンドに向けて放出する球放擲手段を備える。さらに、ファウストベースの後部に送球ホールを備えるとともに、グランドに備えたヒットホール，ホームランホール，スリーベースホール，ツーベースホールのいずれかにボールが入ることで打撃結果を決定するようになっている。
【先行技術文献】
【特許文献】
【０００３】
【特許文献１】特開２０００−２２９１４１号公報
【考案の概要】
【考案が解決しようとする課題】
【０００４】
特許文献１に開示された疑似ベースボール施設は屋内または屋外に設置されるが、ピッチャーズマウンド，バッターボックス，グランド等をどのように施工するのかは明示されていない。遊戯者は、実際の屋外野球場やドーム球場と同じような臨場感で遊戯するのを好む傾向にある。この傾向を考慮すると、施設内（遊戯区画）のほぼ全面に土壌を用いて施工したり、土壌とともに芝生や人工芝を用いて施工する方法が考えられる。
【０００５】
しかし、施設を屋外に設置する場合は、天気に左右され易い。例えば雨天のときに遊戯する遊戯者は希であり、雨水によって土壌がぬかるむために乾くまで使用不能になりかねない。ぬかるみを防止するには防水シート等で施設内（遊戯区画）を覆えばよいが、施設の使用はできないことに変わりない。
【０００６】
一方、施設を屋内に設置する場合は、天気に左右されずに使用できる。その反面、施設自体はコンクリート等の構造物が多いので、多量の土壌を屋内に搬入する必要があり、導入コストが嵩む。また、一定状態で整備した土壌であっても、遊戯者による遊戯が行われるにつれて偏りやすく、元の状態に戻すための維持コストも嵩む。
【０００７】
本考案はこのような点に鑑みてなしたものであり、遊戯者が実際のスポーツ競技場と同じような臨場感を持って遊戯を楽しむことができ、かつ、コスト（導入コストや維持コスト等）を低く抑えられる遊戯施設を提供することを目的とする。
【課題を解決するための手段】
【０００８】
上記課題を解決するためになされた請求項１に記載の考案は、屋内または屋外に設置され、遊戯者がスポーツを擬似的に楽しむのに必要なスポーツ器具を備えた遊戯施設において、少なくとも前記遊戯者が前記スポーツにかかる動作を行うための区域を含み、所定深さまで土壌で施工する土壌施工部と、前記土壌施工部を除く区域であって、構造物自体で施行するか、あるいは前記構造物の表面を舗装する舗装体のいずれか一方で施工する非土壌施工部とを有することを特徴とする。
【０００９】
この構成によれば、遊戯施設を屋内または屋外のいずれに設置するにせよ、主に遊戯者がスポーツを行う際に動作する区域を含む土壌施工部に限って土壌を用いて施工すればよい。遊戯施設のほぼ全体を土壌で施工する場合に比べて、少量の土壌を搬入するだけでよいので、導入コストを低く抑えられる。また雨天による影響を受けにくく、土壌が偏った場合でも対象面積が小さいので簡単に元の状態に戻せるので、維持コストを低く抑えられる。一方、遊戯者にとってみれば、土壌施工部が土壌になっているので、実際のスポーツ競技場（例えば野球場，ゴルフ場，サッカー場等）と同じような感覚で動作を行える。そのため、実際のスポーツ競技場と同じような臨場感でスポーツを楽しむことができる。なお、スポーツによっては土壌表面に芝生を形成してもよい。
【００１０】
なお、「スポーツ器具」の具体的な部材等はスポーツに応じて異なる。例えば、野球の場合はバット，野球ボール，ベース，ヘルメット，マスク，プロテクタ等が該当する。同様に、ゴルフの場合はクラブ，ゴルフボール，ティーマーカー，ホール（カップ），旗などが該当する。サッカーの場合はサッカーボール，ゴール等が該当する。「土壌」は一般的にいう「土」を意味し、自然土や改良土（人工土を含む）などを問わない。例えば、岩石が風化して生成した粗粒の無機物（一次鉱物）や、コロイド状の無機物（粘土鉱物あるいは二次鉱物）、生物の死骸などの粗大有機物、粗大有機物が微生物等の作用によって変質して生じる有機物（腐植）などのうちで一以上が該当する。土壌を構成する砂と粘土の割合による分類を「土性」と呼ぶが、砂土，砂壌土，壌土，埴壌土，埴土などのいずれであってもよい。「構造物（「建造物」とも呼ぶ。以下同様である。）」は、コンクリート構造で作られたコンクリート構造物や、主要な部材が鋼材である鋼構造物などが該当する。「舗装体」は構造物の表面（特に床面）を舗装する部材であれば任意であるが、衝撃のショックを緩和する部材が望ましい。例えば、軟質舗装体，人工芝，絨毯，カーペット，マット，ゴムシート等が該当する。軟質舗装体はゴム等の弾性体と接着用樹脂とを混合して所定形状（例えば平板形状等）に形成され、土壌や砂等を混合する場合もある。
【００１１】
請求項２に記載の考案は、前記非土壌施工部は、前記土壌施工部の周縁の全部または一部に沿って形成する溝部を有することを特徴とする。この構成によれば、遊戯者の動作等によって土壌施工部から出た土壌が溝部に入るため、溝部の外側に広がる土壌の量を少なく抑えられる。溝部に入った土壌は器具を用いて簡単に回収できるので、容易に土壌を土壌施工部に戻すことができる。よって維持コストをより低く抑えられる。
【００１２】
請求項３に記載の考案は、前記土壌施工部は、前記非土壌施工部に近づくにつれて深さが浅くなるようにスロープさせたスロープ部を有することを特徴とする。土壌施工部は非土壌施工部よりも柔らかいため、土壌施工部と非土壌施工部との間で出入りする際に遊戯者が違和感を感ずる可能性がある。この構成によれば、スロープ部は土壌施工部と非土壌施工部との中間的な柔らかさ（硬さ）になるので、遊戯者は違和感を感ずることなく土壌施工部と非土壌施工部との間で出入りできる。
【００１３】
請求項４に記載の考案は、前記土壌施工部は、前記非土壌施工部よりも凹ませた凹部と、前記土壌を収容可能に形成されて前記凹部に着脱可能な箱体とで構成され、複数の前記箱体には、前記土壌の性質を異ならせて調整し、複数の前記箱体のうちでいずれか一の前記箱体を選択して前記凹部に設置し、撤収または交換する場合には前記凹部に設置した前記箱体を取り出すことを特徴とする。土壌の「性質」は、砂と粘土の割合，硬度，色合い等が該当する。この構成によれば、例えばプロスポーツで用いられる複数の競技場について、各競技場ごとに同じように性質を調整した土壌を箱体に収容する。箱体は凹部に設置するだけで、土壌施工部は対応する土壌の性質になる。また、箱体を交換するだけで、遊戯者は他の競技場の土壌と同じ感覚でスポーツを楽しめる。
【００１４】
請求項５に記載の考案は、前記スポーツが野球（ソフトボールを含む。以下同じである。）である場合は、前記土壌施工部はバッターボックス、バッターボックスおよびキャッチャーボックス、バッターボックス，キャッチャーボックス，ホームベースを含むホームエリアのうちでいずれかの区域を含むことを特徴とする。この構成によれば、バッターボックスを最低限とし、必要に応じてキャッチャーボックスやホームエリアに拡大して土壌施工部とする。バッターやキャッチャーとなる遊戯者は、実際の野球場と同じような感覚で動作を行え、その野球場と同じような臨場感でスポーツを楽しむことができる。
【００１５】
請求項６に記載の考案は、前記スポーツがサッカー（フットサルを含む。以下同じである。）である場合は、前記土壌施工部はコーナーエリア、ペナルティエリア、ゴールエリアのうちで一以上の区域を含むことを特徴とする。この構成によれば、コーナーエリア、ペナルティエリア、ゴールエリアのうちで一以上を土壌施工部とする。サッカー選手となる遊戯者は、実際のサッカー場と同じような感覚で動作を行え、そのサッカー場と同じような臨場感でスポーツを楽しめる。
【００１６】
第７の考案は、前記スポーツがゴルフである場合は、前記土壌施工部はティーインググラウンド、バンカー、グリーンのうちで一以上の区域を含むことを特徴とする。この構成によれば、ティーインググラウンド、バンカー、グリーンのいずれかを土壌施工部とする。ゴルファーとなる遊戯者は、実際のゴルフ場と同じような感覚で動作を行え、そのゴルフ場と同じような臨場感でスポーツを楽しむことができる。その他、土壌上で競技可能であって遊戯者が楽しめるスポーツに用いられる競技場内区域についても、同様に適用することが可能であり、同様の作用効果を得ることができる。
【図面の簡単な説明】
【００１７】
【図１】遊戯施設（バッティング練習場）の構成例を模式的に示す平面図である。
【図２】図１に示すIIA−IIA線矢視およびIIB−IIB線矢視の断面図である。
【図３】バッターボックスの周縁に溝部を備える例を模式的に示す平面図である。
【図４】図３に示すIV−IV線矢視の断面図である。
【図５】箱体の構成例と、その箱体の着脱例とを説明する図である。
【図６】土壌施工部にスロープ部を備える例を模式的に示す断面図である。
【図７】スロープ部を備える箱体と、その箱体の着脱例とを説明する図である。
【図８】バッターボックスとキャッチャーボックスとの双方を土壌施工部とした例を模式的に示す平面図である。
【図９】ホームエリアの一部または全部を土壌施工部とした例を模式的に示す平面図である。
【図１０】片方のバッターボックスを土壌施工部とした例を模式的に示す平面図である。
【考案を実施するための形態】
【００１８】
以下、本考案を実施するための形態について、図面に基づいて説明する。なお、上下左右等の方向を言う場合には、図面の記載を基準とする。
【００１９】
〔実施の形態１〕
実施の形態１は、屋内の遊戯施設であって、遊戯者が野球のバッティングを楽しむバッティング練習場に適用した例について、図１と図２を参照しながら説明する。図１には、バッティング練習場の構成例について、壁部や仕切部等を断面とした平面図で示す。図２は図１の一部断面図であって、図２（Ａ）には図１のIIA−IIA線で切断した断面を示し、図２（Ｂ）には図１のIIB−IIB線で切断した断面を示す。
【００２０】
図１に示す遊戯施設１０（あるいは遊戯区画）は、ビル等の構造物１１内に備えられる施設の一例である。本形態の遊戯施設１０は、構造物１１を構成する壁部１１ａと区画壁１１ｃとで区画され、さらに左右の仕切部１１ｂで仕切られるフィールド１３内の施設である。遊戯施設１０は図面の左右側に同様に設置したり、一の構造物１１に対して一の遊戯施設１０を設置する等のように設置態様は多様である。
【００２１】
仕切部１１ｂは構造物１１の一部として構成してもよく、構造物１１とは別個に板材（木材やプラスチック等）や網材等を用いてもよい。また、ピッチングマシン１２から投げられた野球ボールを打つバッターとなる遊戯者と、投げられた野球ボールを捕るキャッチャーとなる遊戯者とのうち、１名以上で野球を擬似的に楽しむタイプの遊戯施設１０である。区画壁１１ｃには、遊戯施設１０（フィールド１３）内に遊戯者が出入りするための出入口１９が設けられている。なお遊戯施設１０によっては、ピッチングマシン１２に代えてピッチャーとなる遊戯者が投球するピッチャーマウンドを設置したり、キャッチャーボックス１８を無くす場合がある。
【００２２】
遊戯施設１０のフィールド１３には、ピッチングマシン１２，バッターボックス，ホームベース１６，キャッチャーボックス１８などを備える。ピッチングマシン１２は、バッター側に設置されたスタートボタンが押されると所定数（例えば１０〜５０球等）を所定間隔ごとに投げ放つ。バッターボックスは、バッターとなる遊戯者がバッティング動作を行う区域であって、白線１４で区画された長方形状区域である。右バッター用と左バッター用とがあり、両者の中間にはホームベース１６が配置される。キャッチャーボックス１８は、キャッチャーとなる遊戯者が捕球動作を行う区域であって、バッターボックスの後方（図面下側）に白線１４で区画された長方形状区域である。
【００２３】
右バッターボックスおよび左バッターボックスは、いずれも土壌施工部１５に相当し、実際の野球場と同様の臨場感を醸し出すために土壌１７を用いて形成される。土壌施工部１５は、床部２０に形成される凹部（凹部１５Ｒ，１５Ｌ）と、土壌１７とで構成される。すなわち、図２（Ａ）に示すように床部２０に右バッターボックス用の凹部１５Ｒと左バッターボックス用の凹部１５Ｌとを形成する。凹部１５Ｒ，１５Ｌは所定深さＨ１（例えば１０〜５０[cm]等）があり、土壌１７が入れられて所要の硬さに踏み固められる。土壌１７は、岩石が風化して生成した粗粒の無機物や、コロイド状の無機物、生物の死骸などの粗大有機物、粗大有機物が微生物等の作用によって変質して生じる有機物などのうちで一以上を含む。プロ野球で使用される野球場の土壌に似た成分で構成するのが望ましく、砂土，砂壌土，壌土，埴壌土，埴土などのいずれであってもよい。
【００２４】
一方、バッターボックス以外のフィールド１３は、「非土壌施工部」に相当し、床部２０（構造物１１自体）のままとしてもよく、図２（Ｂ）に示すように床部２０の表面（以下では単に「床面」と呼ぶ。）に舗装体２１を敷設してもよい。舗装体２１は、床面を舗装する部材であれば任意であるが、衝撃のショックを緩和する部材が望ましい。例えば、軟質舗装体，人工芝，絨毯，カーペット，マット，ゴムシート等が該当する。軟質舗装体は、弾性体（例えばゴム等）と接着剤（例えば接着用樹脂）とを混合して所定形状（例えば平板状やシート状等）に形成し、混合物としてさらに土壌や砂等を含めてよい。
【００２５】
上述した実施の形態１によれば、以下に示す各効果を得ることができる。まず請求項１に対応し、遊戯施設１０は、少なくとも遊戯者がバッティング動作を行うためのバッターボックスを含み、所定深さＨ１まで土壌１７で施工する土壌施工部１５と、土壌施工部１５を除くフィールド１３であって、構造物１１自体で施行するか、床面に舗装体２１を舗装のいずれか一方で施工する非土壌施工部とを備える構成とした（図１，図２を参照）。この構成によれば、バッターボックス（土壌施工部１５）に限って土壌１７を用いて施工すればよい。遊戯施設１０のほぼ全体を土壌１７で施工する場合に比べて、少量の土壌１７を搬入するだけでよいので、導入コストを低く抑えられる。また雨天による影響を受けにくく、土壌１７が偏った場合でも対象面積が小さいので簡単に元の状態に戻せるので、維持コストを低く抑えられる。一方、遊戯者にとってみれば、バッターボックス（土壌施工部１５）が土壌１７になっているので、実際の野球場と同じような感覚でバッティング動作を行える。そのため、実際の野球場と同じような臨場感でスポーツを楽しめる。
【００２６】
請求項５に対応し、左右のバッターボックスを土壌施工部１５で構成した（図１，図２を参照）。この構成によれば、バッターとなる遊戯者は、実際の野球場と同じような感覚で動作を行え、その野球場と同じような臨場感でスポーツを楽しむことができる。
【００２７】
〔実施の形態２〕
実施の形態２は、実施の形態１の変形例であって、図３と図４を参照しながら説明する。図３には、バッターボックスの周縁に溝部を備える例を模式的に平面図で示す。図４には、図３に示すIV−IV線で切断した断面を示す。なお説明を簡単にするため、実施の形態１で用いた要素と同一の要素には同一の符号を付して説明を省略する。
【００２８】
実施の形態２が実施の形態１と相違するのは、白線１４で示すバッターボックスの周縁（一部）に溝部を備える点である。図３に示す例では、左右のバッターボックスについてホームベース１６と対向しない辺の周縁に沿って、床部２０を凹ませた溝部２２を形成する。左バッターボックスの周縁に形成した溝部２２と、右バッターボックスの周縁に形成した溝部２２とでは、鏡像に形成する。図４に示すように、各溝部２２は凹部１５Ｒ，１５Ｌよりは浅い深さＨ２（Ｈ２＜Ｈ１）で形成する。図４では断面が四角形状に形成しているが、他の形状（例えば半楕円形状や三角形状等）に形成してもよい。
【００２９】
上述した実施の形態２によれば、請求項２に対応し、バッターボックス（土壌施工部１５）以外のフィールド１３（非土壌施工部）には、バッターボックスの周縁の一部に沿って溝部２２を形成する構成とした（図３，図４を参照）。この構成によれば、遊戯者の動作等によってバッターボックスからはみ出た土壌１７は溝部２２に入るため、溝部２２の外側に広がる土壌１７の量を少なく抑えられる。溝部２２に入った土壌１７は器具（例えば刷毛，ホウキ，掃除機等）を用いて簡単に回収できるので、容易に土壌１７をバッターボックスに戻すことができる。よって維持コストをより低く抑えられる。その他の構成は実施の形態１と同様であるので、実施の形態１と同様の作用効果を得ることができる。
【００３０】
なお、図３に示す例ではバッターボックスの周縁の一部に対応して溝部２２を備えたが、バッターボックスの周縁の全部に対応して溝部２２を備える構成としてもよい。また、バッターボックスを示す白線１４から所定距離（例えば５〜３０[cm]等）だけ離れ、バッターボックスの周縁の全部または一部に対応してほぼ並行に溝部２２を備える構成としてもよい。形状は異なるが同心円のように、複数の溝部２２を多重に備える構成としてもよく、数が増えるにつれて外側に広がる土壌１７の量をより少なく抑えられる。
【００３１】
〔実施の形態３〕
実施の形態３は、実施の形態１の変形例であって、図５を参照しながら説明する。図５には、箱体の構成例およびその着脱例とを模式的に示す。具体的には、図５（Ａ）に箱体の構成例を示し、図５（Ｂ）には着脱例を一部断面図で示す。なお説明を簡単にするため、実施の形態１で用いた要素と同一の要素には同一の符号を付して説明を省略する。
【００３２】
実施の形態３が実施の形態１と相違するのは、土壌１７を収容する箱体を凹部１５Ｒ，１５Ｌに着脱可能とする点である。図５（Ａ）に示す箱体２３は、上方（一面）が開口する箱状に形成された部材であり、図示するように土壌１７を収容可能に構成される。箱体２３の材質は問わないが、土壌１７によって腐食や割れ等が発生し難い材質が望ましく、箱体２３の交換を容易とするために軽量であることが望ましい。例えば、金属，木材，樹脂等が該当する。なお図示しないが、箱体２３の設置と取り出しを容易にするため、取っ手などの把持部や、ヒンジや穴などの引掛部を設けるのが望ましい。
【００３３】
上述した箱体２３は、複数用意する。各箱体２３には、例えばプロ野球で使用される各地の野球場の土壌に似た成分や組成で構成した土壌１７を収容するのが望ましい。また同じ構成の土壌１７でも、箱体２３に収容されている土壌１７が水でぬかるんだ場合に、乾いた土壌１７を収容した箱体２３と交換するための予備を用意するのが望ましい。
【００３４】
上述のように土壌１７を収容して所要の硬さに踏み固められた箱体２３は、図５（Ｂ）に示す実線矢印のように、凹部１５Ｒ，１５Ｌに対してそれぞれ設置する。設置後は、図１と同等の状態になる。撤収や交換が必要となった場合には、図５（Ｂ）に示す二点鎖線矢印のように、凹部１５Ｒ，１５Ｌから箱体２３を取り出す。
【００３５】
上述した実施の形態３によれば、請求項４に対応し、土壌施工部１５はフィールド１３よりも凹ませた凹部１５Ｒ，１５Ｌと、土壌１７を収容可能に形成されて凹部１５Ｒ，１５Ｌに着脱可能な箱体２３とで構成した（図５（Ａ）を参照）。複数の箱体２３には、土壌１７の性質を異ならせて調整し、箱体２３を凹部１５Ｒ，１５Ｌに設置したり、設置した箱体２３を凹部１５Ｒ，１５Ｌから取り出す構成とした（図５（Ｂ）を参照）。この構成によれば、箱体２３は凹部１５Ｒ，１５Ｌに設置するだけで、バッターボックス（土壌施工部１５）は希望する野球場の土壌１７と同じ性質になる。遊戯者は希望する野球場でバッティング動作するような臨場感を持ってスポーツを楽しめる。また、箱体２３を交換するだけで、遊戯者は他の野球場の土壌１７と同じ感覚でスポーツを楽しめる。その他の構成は実施の形態１と同様であるので、実施の形態１と同様の作用効果が得られる。
【００３６】
〔実施の形態４〕
実施の形態４は、実施の形態１と実施の形態３の各変形例であって、図６と図７を参照しながら説明する。図６には、土壌施工部にスロープ部を備える例を模式的に断面図で示す。図７には、スロープ部を備える箱体と、その箱体の着脱例とを模式的に示す。なお説明を簡単にするため、実施の形態１，３で用いた要素と同一の要素には同一の符号を付して説明を省略する。
【００３７】
図６には、実施の形態１の変形例として、バッターボックスを含む区域に対応してフィールド１３よりも凹ませる凹部２４Ｒ，２４Ｌを示す。この凹部２４Ｒ，２４Ｌは、図２に示す凹部１５Ｒ，１５Ｌと比べて、スロープ部２４Ｓを備えた点が相違する。スロープ部２４Ｓは、フィールド１３に近づくにつれて深さが次第に浅くなるように形成した傾斜面である。その他については、実施の形態１と同様である。
【００３８】
図７には、実施の形態３の変形例として、上述した凹部２４Ｒ，２４Ｌを形成するとともに、凹部２４Ｒ，２４Ｌに対して着脱可能な箱体２５とを示す。この箱体２５は、図５に示す箱体２３と比べて、スロープ部２４Ｓに対応して傾斜させた傾斜側面部２５Ｓを備えた点が相違する。その他については、実施の形態３と同様である。
【００３９】
上述した実施の形態４によれば、請求項３に対応し、バッターボックスに対応する凹部２４Ｒ，２４Ｌ（土壌施工部２４）は、フィールド１３に近づくにつれて深さが浅くスロープ部２４Ｓを有する構成とした（図６を参照）。この構成によれば、スロープ部２４Ｓはバッターボックスとフィールド１３との中間的な柔らかさ（硬さ）になるので、遊戯者は違和感を感ずることなくバッターボックスとフィールド１３との間で出入りできる。その他の構成は実施の形態１，３とそれぞれ同様であるので、各実施の形態と同様の作用効果が得られる。
【００４０】
〔他の実施の形態〕
以上では本考案を実施するための形態について実施の形態１〜４に従って説明したが、本考案は当該形態に何ら限定されるものではない。言い換えれば、本考案の要旨を逸脱しない範囲内において、種々なる形態で実施することもできる。例えば、次に示す各形態を実現してもよい。
【００４１】
実施の形態１，２では、バッターボックスに対応して土壌施工部１５を適用し、凹部１５Ｒ，１５Ｌに土壌１７を入れて所要の硬さに踏み固める構成とした土壌１７を適用した（図１〜図４を参照）。実施の形態３では、バッターボックスに対応して土壌施工部２４を適用し、凹部２４Ｒ，２４Ｌと箱体２５とを適用した（図５を参照）。これらの形態に代えて、バッターボックスとともにキャッチャーボックスにも対応して土壌施工部１５，２４を適用してもよい。例えば図８に示すように、キャッチャーボックスを含む区域に対応してフィールド１３よりも凹ませた凹部１８ａを形成し、この凹部１８ａに土壌１７を入れて所要の硬さに踏み固める。遊戯者にとってみれば、キャッチャーボックスが土壌１７になっているので、実際の野球場と同じような感覚で捕手動作を行える。よって、実際の野球場と同じような臨場感でスポーツを楽しめる。
【００４２】
さらに、バッターボックス，キャッチャーボックス，ホームベースを含むホームエリアの一部または全部に対応して土壌施工部１５，２４を適用してもよい。例えば図９に示すように、ホームエリアを含む区域に対応してフィールド１３よりも凹ませた凹部２６を形成し、この凹部２６に土壌１７を入れて所要の硬さに踏み固める。また例えば図１０に示すように、ホームエリアが一方側のバッターボックス（右バッターボックスまたは左バッターボックスのいずれか）とホームベース１６とでのみ構成される場合には、バッターボックスに対応する凹部１５Ａを形成し、この凹部１５Ａに土壌１７を入れて所要の硬さに踏み固める。右バッターボックス１４Ｒ，左バッターボックス１４Ｌ，キャッチャーボックス１４Ｃは、いずれも実際の野球場と同様に白線で形成する。凹部２６は、実線で示すような四角区域に限らず、一点鎖線で示すような変形区域（直線・曲線を問わない）、二点鎖線で示すような円形（楕円形を含む）区域としてもよい。変形区域の場合は、一方側のバッターボックス（図９の例では右バッターボックス１４Ｒ）とキャッチャーボックス１４Ｃを含める。いずれの区域にせよ、遊戯者にとってみれば、ホームエリアの一部または全部が土壌１７になっているので、実際の野球場と同じような感覚でバッティング動作や捕手動作を行える。よって、実際の野球場と同じような臨場感でスポーツを楽しめる。ホームベース１６および白線１４のうちで一方または双方を含む部位（その一部または全部）については、床部２０（すなわち構造物１１）で形成する構成としてもよい。
【００４３】
実施の形態１〜４では、屋内の遊戯施設１０について適用した（特に図１を参照）。この形態に代えて、屋外の遊戯施設１０についても同様に適用することが可能である。この場合でも、遊戯施設１０のほぼ全体を土壌１７で施工する場合に比べて、少量の土壌１７を搬入するだけでよいので、導入コストを低く抑えられる。また雨天による影響を受けにくく、土壌１７が偏った場合でも対象面積が小さいので簡単に元の状態に戻せるので、維持コストを低く抑えられる。一方、遊戯者にとってみれば、遊戯者がスポーツにかかる動作を行うための区域（土壌施工部１５，２４）が土壌１７になっているので、実際のスポーツと同じような感覚で動作を行える。そのため、実際のスポーツ競技場と同じような臨場感でスポーツを楽しめる。
【００４４】
実施の形態１〜４および上記他の形態では、スポーツが野球である場合に土壌施工部１５，２４を適用した（図１〜図９を参照）。この形態に代えて、スポーツがサッカーである場合や、スポーツがゴルフである場合、土壌上で競技可能な他のスポーツ（例えばテニスやゲートボール等）である場合にも、同様に土壌施工部１５，２４を適用することが可能である。ゴルフとサッカーの場合について、以下に簡単に説明する。
【００４５】
例えばスポーツがサッカーである場合は、コーナーエリア、ペナルティエリア、ゴールエリアのうちで一以上の区域を含むように、土壌施工部１５，２４を構成する。この構成によれば、サッカー選手となる遊戯者は、実際のサッカー場と同じような感覚で動作を行え、そのサッカー場と同じような臨場感でスポーツを楽しむことができる。
【００４６】
またスポーツがゴルフである場合は、ティーインググラウンド、バンカー、グリーンのうちで一以上の区域を含むように、土壌施工部１５，２４を構成する。この構成によれば、ゴルファーとなる遊戯者は、実際のゴルフ場と同じような感覚で動作を行え、そのゴルフ場と同じような臨場感でスポーツを楽しむことができる。
【符号の説明】
【００４７】
１０  遊戯施設
１１  構造物（建造物）
１１ｂ，１１ｃ  仕切部
１２  ピッチングマシン（スポーツ器具）
１５，２４  土壌施工部
１５Ｌ，２４Ｌ  凹部（左バッターボックス用；土壌施工部）
１５Ｒ，２４Ｒ  凹部（右バッターボックス用；土壌施工部）
１６  ホームベース（スポーツ器具）
１７  土壌
１８  キャッチャーボックス
１８ａ  凹部（キャッチャーボックス用；土壌施工部）
２０  床部
２１  舗装体
２２  溝部
２３，２５  箱体（土壌施工部）
２４Ｓ  スロープ部
２５Ｓ  傾斜側面部
【図１】
0003166985.tif 000003
【図２】
0003166985.tif 000004
【図３】
0003166985.tif 000005
【図４】
0003166985.tif 000006
【図５】
0003166985.tif 000007
【図６】
0003166985.tif 000008
【図７】
0003166985.tif 000009
【図８】
0003166985.tif 000010
【図９】
0003166985.tif 000011
【図１０】
0003166985.tif 000012